(57)【特許請求の範囲】
【請求項１】
第１コンクリートブロックに第２コンクリートブロックを直角向きで連結するためのコンクリートブロック連結構造であって、
第１コンクリートブロックと、
第１コンクリートブロック内に埋設された第１内部鉄筋と、
一端部が第１コンクリートブロック内に埋設され他端部が第１コンクリートブロックから突出する第１アンカー筋と、
第１アンカー筋の他端部が係合され、且つ、第１内部鉄筋と係合した状態で第１コンクリート内に埋設されたプレートと、
連結端に凹陥部を有する第２コンクリートブロックと、
第２コンクリートブロック内に埋設された第２内部鉄筋と、
一端部が第２コンクリートブロック内に埋設され他端部が凹陥部内で露出する第２アンカー筋と、
第１アンカー筋の突出部分と第２アンカー筋の露出部分とを引き寄せて結合するための連結器とを備える、
ことを特徴とするコンクリートブロック連結構造。
【請求項２】
第１内部鉄筋は少なくとも複数の主筋と配力筋とを備え、プレートはこの第１内部鉄筋における主筋と配力筋の少なくとも一方に係合している、
ことを特徴とする請求項１に記載のコンクリートブロック連結構造。
【請求項３】
第１アンカー筋の他端部には雄ネジ部が設けられ、プレートにはこの雄ネジ部が挿通可能な孔が設けられており、孔に挿通された雄ネジ部の少なくとも突出部分にナットを取り付けることによって第１アンカー筋の他端部がプレートに係合されている、
ことを特徴とする請求項１または２に記載のコンクリートブロック連結構造。
【請求項４】
プレートは凹部が裏側に現れるような屈曲部を有しており、雄ネジ部の少なくとも突出部分に取り付けられたナットは雄ネジ部の突出部分と共にプレートの凹部内に位置する、
ことを特徴とする請求項３に記載のコンクリートブロック連結構造。
【請求項５】
第１アンカー筋の一端部と第２アンカー筋の一端部のそれぞれには雄ネジ部が設けられ、
また、連結器は、互いに締め付け可能な雄ネジ部材及び雌ネジ部材と係止ナットとから成り、雄ネジ部材と雌ネジ部材の一方は第１アンカー筋の雄ネジ部に螺合可能で、他方は第２アンカー筋用の挿通孔とこれに連なる係止面を有し、係止ナットは挿通孔に挿通された第２アンカー筋の雄ネジ部に螺合されて係止面に接し得る、
ことを特徴とする請求項１〜４の何れか１項に記載のコンクリートブロック連結構造。
【発明の詳細な説明】
【０００１】
【発明の属する技術分野】
本発明は、プレキャストコンクリートブロックを用いて水路，暗渠，擁壁，遊水池等のコンクリート構造物を現場にて構築するのに有用なコンクリートブロックの連結構造に関する。
【０００２】
【従来の技術】
図１は水路を構築する際に用いられる一体型ブロックを示すもので、このブロックは底版部の両端それぞれに直角向きで側版部を立設した形状を有しており、底版部及び側版部には内部鉄筋１ａが設けられている。
【０００３】
しかし、前記の一体型ブロックを用いて大型の水路を構築するケースでは、ブロックの大きさに応じた大型の製造設備が必要となる他、輸送車両へのブロックの積み卸しや輸送に要するコストが増加すると共に、現場において広い保管スペースを確保する必要を生じる等の不具合がある。
【０００４】
このような不具合を解消するため、最近では前記ブロックを図２に示すような底版ブロック１１と２つの側版ブロック１２とから構成し、現場において底版ブロック１１と側版ブロック１２を適宜連結して水路を構築する手法が採用されている。
【０００５】
図２に示した分割型ブロックにおける底版ブロック１１には内部鉄筋１１ａとＬ状のアンカー筋１１ｂが設けられており、各アンカー筋１１ｂの垂直部分の上端部は底版１１の両端部上面から突出している。また、側版ブロック１２には内部鉄筋１２ａと直状のアンカー筋１２ｂと凹陥部１２ｃが設けられており、各アンカー筋１２ｂの下端部は凹陥部１２ｃ内で露出している。
【０００６】
この分割型ブロックは、止水パッキンを介して側版ブロック１２を底版ブロック１１の両端部上面に載置し、底版ブロック１１側のアンカー筋１１ｂの突出部分と側版ブロック１２側のアンカー筋１２ｂの露出部分とを適当な連結器１３を用いて凹陥部１２ｃ内で結合した後、凹陥部１２内に硬化材を充填することによって組み上げられる。
【０００７】
【発明が解決しようとする課題】
ところで、図２に示した分割型ブロックの側版ブロック１２の外側面に土圧を想定した外力を加える試験と、側版ブロック１２の内側面に水圧を想定した外力を加える試験をそれぞれ行い、これと同様に、図１に示した一体型ブロックの側版部の外側面に土圧を想定した外力を加える試験と、側版部の内側面に水圧を想定した外力を加える試験をそれぞれ行ったところ、図２に示した分割型ブロックの降伏点は図１に示した一体型ブロックのそれよりも低く、また、外力の値が降伏点近くまで増加すると底版ブロック１１の破線丸印で示した部分にひび割れ等の破壊が生じてしまうことが確認された。
【０００８】
つまり、図２に示した分割型ブロックは、図１に示した一体型ブロックの不具合を解消できる反面、その剛性は底版ブロック１１と側版ブロック１２とを結合するための連結構造を備えることを理由に図１に示した一体型ブロックのそれよりも劣る不具合があることが判明した。
【０００９】
ちなみに、前記の不具合は図２に示した分割型ブロックと同様の連結構造を有する暗渠用の分割型ブロックや、擁壁用の分割型ブロックや、遊水池用の分割型ブロック等においても同様に生じ得ることも確認されている。
【００１０】
本発明は前記事情に鑑みて創作されたもので、その目的とするところは、一体型のものと同等以上の剛性が得られるコンクリートブロックの連結構造を提供することにある。
【００１１】
【課題を解決するための手段】
前記目的を達成するため、本発明は、第１コンクリートブロックに第２コンクリートブロックを直角向きで連結するためのコンクリートブロック連結構造であって、第１コンクリートブロックと、第１コンクリートブロック内に埋設された第１内部鉄筋と、一端部が第１コンクリートブロック内に埋設され他端部が第１コンクリートブロックから突出する第１アンカー筋と、第１アンカー筋の他端部が係合され、且つ、第１内部鉄筋と係合した状態で第１コンクリート内に埋設されたプレートと、連結端に凹陥部を有する第２コンクリートブロックと、第２コンクリートブロック内に埋設された第２内部鉄筋と、一端部が第２コンクリートブロック内に埋設され他端部が凹陥部内で露出する第２アンカー筋と、第１アンカー筋の突出部分と第２アンカー筋の露出部分とを引き寄せて結合するための連結器とを備える、ことをその主たる特徴とする。
【００１２】
このコンクリートブロック連結構造によれば、連結器によって第１アンカー筋の突出部分と第２アンカー筋の露出部分とを引き寄せて結合することにより、第１コンクリートブロックと第２コンクリートブロックとを圧接させてブロック相互を直角向きで強固に連結することができる。また、第１コンクリートブロックの第１アンカー筋はその他端部がプレートに係合し、しかも、このプレートは第１内部鉄筋に係合しているため、連結後の第２コンクリートブロックに外力が加わった場合でもこのときに第１アンカー筋に加わる応力を第１コンクリートブロック内の第１内部鉄筋に効率良く分散することができ、局部的な応力集中を原因として第１コンクリートブロックにひび割れ等の破壊を生じることを防止できる。
【００１３】
本発明の前記目的とそれ以外の目的と、構成特徴と、作用効果は、以下の説明と添付図面によって明らかとなる。
【００１４】
【発明の実施の形態】
図３〜図１１には、本発明を水路用の分割型ブロックに適用した第１実施形態を示す。
【００１５】
この第１実施形態の分割型ブロックは、内部鉄筋２１ａ，プレート２１ｂ及びアンカー筋２１ｃを備えた底版ブロック２１と、内部鉄筋２２ａ及びアンカー筋２２ｂを備えた２つの側版ブロック２２とから構成されており、底版ブロック２１と側版ブロック２２とは連結器２３によって連結されている。
【００１６】
底版ブロック２１は平板形状を成しており、内部鉄筋２１ａと、プレート２１ｂと、アンカー筋２１ｃとを備える。
【００１７】
内部鉄筋２１ａは、図４及び図５に示すように、平行に配された複数の主筋２１ａ１と、主筋２１ａ１と直角向きで平行に配された複数の配力筋２１ａ２と、配力筋２１ａ２と直角向きで平行に配された複数の補助筋２１ａ３とから成り、各々の交差部分を溶接やワイヤー結線等により結合されている。この内部鉄筋２１ａはその全体が底版ブロック２１内に埋設されている。
【００１８】
プレート２１ｂは、図４〜図７に示すように、平板部と台形状屈曲部２１ｂ１とが交互に連続するような屈曲形状を成しており、各屈曲部２１ｂ１の裏側には屈曲部２１ｂの形状に準じた凹部２１ｂ２が現れている。また、各屈曲部２１ｂ１には、アンカー筋２１ｃの下側雄ネジ部２１ｃ２が挿通可能な孔２１ｂ３が幅方向両端部に設けられている。このプレート２１ｂは、各平板部の上面が内部鉄筋２１ａの下側の主筋２１ａ１に接し、且つ、各屈曲部２１ｂ１が主筋２１ａ１の間に入り込むように配力筋２１ａ２と平行に配され、内部鉄筋２１ａに係合した状態でその全体が底版ブロック２１内に埋設されている。
【００１９】
アンカー筋２１ｃは平坦表面或いは凹凸表面を有する直状のもので、図４〜図７に示すように、上端部に雄ネジ部２１ｃ１を、下端部に雄ネジ部２１ｃ２をそれぞれ有している。各アンカー筋２１ｃは、図７に示すように、上側ナット２１ｄが取り付けられた下側雄ネジ部２１ｃ２をプレート２１ｂの孔２１ｂ３に挿通し、下側雄ネジ部２１ｃ２の屈曲部２１ｂ１の裏側に突出した部分に下側ナット２１ｄを取り付け、位置調整後に下側ナット２１ｄを締め付けることによってプレート２１ｂに係合されている。図７から分かるように、下側雄ネジ部２１ｃ２に螺合された下側ナット２１ｄは、下側雄ネジ部２１ｃ２の突出部分と共にプレート２１ｂの凹部２１ｂ２内に位置していて、プレート２１ｂの下面よりも下側には突出していないので、ブロック自体の厚みを大きくしなくともプレート２１ｂとアンカー筋２１ｃとの係合部分へのかぶりを十分に確保することができる。また、各アンカー筋２１ｃはその下端部を底版ブロック２１内に埋設され、上側雄ネジ部２１ｃ１を含む上端部を底版ブロック２１の上面から上向きに突出している。
【００２０】
ちなみに、前記の底版ブロック２１は、型枠内に内部鉄筋２１ａを配し、この内部鉄筋２１ａ上の所定位置に、アンカー筋２１ｃが予め設けられたプレート２１ｂをアンカー筋２１ｃが下向きになるように載せた後に、型枠内にコンクリートを打設し養生することにより製造される。
【００２１】
一方、側版ブロック２２は平板形状を成しており、内部鉄筋２２ａと、アンカー筋２２ｂとを備える。また、側版ブロック２２の外側面下端と内側面下端には、アンカー筋２２ｂの配置位置に対応して複数の凹陥部２２ｃが設けられている。尚、側版ブロック２２のアンカー筋２２ｂの数及び位置は、前記底版ブロック２１のアンカー筋２１ｃの数及び位置に対応している。
【００２２】
内部鉄筋２２ａは、図８及び図９に示すように、平行に配された複数の主筋２２ａ１と、主筋２２ａ１と直角向きで平行に配された複数の配力筋２２ａ２と、配力筋２２ａ２と直角向きで平行に配された複数の補助筋２２ａ３とから成り、各々の交差部分を溶接やワイヤー結線等により結合されている。この内部鉄筋２２ａはその全体が側版ブロック２２内に埋設されている。
【００２３】
アンカー筋２２ｂは平坦表面或いは凹凸表面を有する直状のもので、図８及び図９に示すように、下端部に雄ネジ部２２ｂ１を有している。各アンカー筋２２ｂはその下端部を側版ブロック２２内に埋設され、雄ネジ部２２ｂ１を含む下端部を凹陥部２２ｃ内で下向きに露出している。
【００２４】
ちなみに、前記の側版ブロック２２は、型枠内に内部鉄筋２２ａとアンカー筋２２ｂを配した後に、型枠内にコンクリートを打設し養生することにより製造される。
【００２５】
他方、連結器２３は、図１０及び図１１に示すように、互いに締め付け可能な雄ネジ部材２３ａ及び雌ネジ部材２３ｂと、係止ナット２３ｃとから成る。
【００２６】
雄ネジ部材２３ａは、外周面に設けられた雄ネジ部２３ａ１と、下端面中央から内部に及んで設けられた雌ネジ穴２３ａ２と、上端面中央に設けられた凹部２３ａ３と、下端面周囲に設けられた締め付け工具係合用の歯輪状凹部２３ａ４とを備える。雌ネジ穴２３ａ２は、底版ブロック２１のアンカー筋２１ｃの上側雄ネジ部２１ｃ１への螺合を可能としている。
【００２７】
雌ネジ部材２３ｂは、下端面中央から内部に及んで設けられた円形空洞２３ｂ１と、円形空洞２３ｂ１の内周面に設けられた雌ネジ部２３ｂ２と、上端面中央から円形空洞に及んで設けられたアンカー筋用の挿通孔２３ｂ３と、内部空洞２３ｂ１と挿通孔２３ｂ３との間に設けられた環状の係止面２３ｂ４と、上端面周囲に設けられた締め付け工具係合用の歯輪状凹部２３ｂ５とを備える。雌ネジ部２３ｂ２は、雄ネジ部材２３ａの雄ネジ部２３ａ１への螺合を可能としている。また、挿通孔２３ｂ３の口径は、側版ブロック２２のアンカー筋２２ｂの直径よりも僅かに大きい。
【００２８】
ナット２３ｃは、側版ブロック２２のアンカー筋２２ｂの雄ネジ部２２ｂ１への螺合を可能としている。
【００２９】
以下に、前記の底版ブロック２１と側版ブロック２２とを連結器２３を用いて連結する手順について図１０を参照して説明する。
【００３０】
まず、手作業によって、底版ブロック２１のアンカー筋２１ｃの上側雄ネジ部２１ｃ１に連結器２３の雄ネジ部材２３ａを螺着し、また、側版ブロック２２のアンカー筋２２ｂの雄ネジ部２２ｂ１に連結器２３の雌ネジ部材２３ｂの挿通孔２３ｂ３を差し込んで雄ネジ部２２ｂ１に係止ナット２３ｃを螺着する。
【００３１】
次に、底版ブロック２１のアンカー筋２１ｃの突出部分の端面と側版ブロック２２のアンカー筋２２ｂの露出部分の端面とがそれぞれ正対するように位置合わせしてから、エポキシ樹脂等から成る止水パッキン（図示省略）を介して側版ブロック２２を底版ブロック２１の両端部上面に載置する。
【００３２】
次に、手作業によって、連結器２３の雌ネジ部材２３ｂの雌ネジ部２３ｂ２を雄ネジ部材２３ａの雄ネジ部２３ａ１に螺入する。
【００３３】
次に、連結器２３の雄ネジ部材２３ａの歯輪状凹部２３ａ４に締め付け用工具（図示省略）を嵌め込み、且つ、連結器２３の雌ネジ部材２３ｂの歯輪状凹部２３ｂ５に同様の締め付け用工具を嵌め込み、そして、雄ネジ部材２３ａを動かさずに雌ネジ部材２３ｂのみを回転させて所定トルクに達するまで締め付ける。
【００３４】
アンカー筋全てに対して前記の締め付け作業が完了した状態では、底版ブロック２１のアンカー筋２１ｃと側版ブロック２２のアンカー筋２２ｂが強く引き寄せられた状態で結合し、底版ブロック２１に側版ブロック２２が圧接してブロック相互が直角向きで強固に連結される。
【００３５】
次に、連結後の側版ブロック２２の各凹陥部２２ｃ内にモルタル等の硬化材を充填する。
【００３６】
前述の第１実施形態で説明した底版ブロック２１と側版ブロック２２の連結構造によれば、底版ブロック２１のアンカー筋２１ｃはその下端部がプレート２１ｂに係合し、しかも、このプレート２１ｂは内部鉄筋２１ａの主筋２１ａ１に係合しているため、連結後の側版ブロック２２に土圧や水圧に相当する外力が加わった場合でもこのときに底版ブロック２１のアンカー筋２１ｃに加わる応力を底版ブロック２１の内部鉄筋２１ａに効率良く分散させることができ、局部的な応力集中を原因として底版ブロック２１にひび割れ等の破壊を生じることを防止できる。
【００３７】
ちなみに、図３に示した分割型ブロックに対して発明が解決しようとする課題欄で説明したのと同様の試験を行ったところ、図３に示した分割型ブロックの降伏点は図１に示した一体型ブロックよりも高く、ひび割れ等の破壊に対して１．５倍〜２倍程度の強度があり、分割型であっても一体型ブロックよりも高い剛性が得られることが確認できた。
【００３８】
図１２〜図１５には、前述の第１実施形態におけるプレート２１ｂの形状の変形例をそれぞれ示す。
【００３９】
図１２に示したプレート２１ｂが第１実施形態のものと異なるところは、プレート２１ｂの両端の平板部を除く平板部に、複数の貫通孔２１ｂ４を設けた点にある。このプレート２１ｂによれば、貫通孔２１ｂ４内にコンクリートを充填させることにより、底版ブロック２１内に埋設されたプレート２１ｂのコンクリートに対する密着力を高めることができる。
【００４０】
図１３に示したプレート２１ｂが第１実施形態のものと異なるところは、プレート２１ｂの両端の平板部の端縁に、内部鉄筋２１ａの主筋２１ａ１に掛合可能な掛合片２１ｂ５を一体に設けた点にある。このプレート２１ｂによれば、底版ブロック２１を製造する過程で内部鉄筋２１ａ上の所定位置にプレート２１ｂを載置した後の位置ずれを、前記掛合部２１ｂ５と主筋２１ａ１との掛合によって防止できる利点がある。
【００４１】
図１４に示したプレート２１ｂが第１実施形態のものと異なるところは、プレート２１ｂの両端の平板部の端縁に、内部鉄筋２１ａの主筋２１ａ１に緩めに嵌合可能な嵌合部２１ｂ６を一体に設けた点にある。このプレート２１ｂによれば、底版ブロック２１を製造する過程で内部鉄筋２１ａ上の所定位置にプレート２１ｂを載置した後の位置ずれ及び抜け落ちを、前記嵌合部２１ｂ６と主筋２１ａ１との嵌合によって防止できる利点がある。
【００４２】
図１５に示したプレート２１ｂが第１実施形態のものと異なるところは、プレート２１ｂ’を平板状に構成した点にある。このプレート２１ｂ’によれば、プレート自体を安価に形成できる利点がある。
【００４３】
図１６及び図１７には、前述の第１実施形態におけるアンカー筋２１ｃとプレート２１ｂとの係合構造の変形例をそれぞれ示す。
【００４４】
図１６に示した係合構造が第１実施形態のものと異なるところは、上側ナット２１ｄを排除して、下側ナット２１ｄのみを用いてアンカー筋２１ｃをプレート２１ｂに係合した点にある。先に述べたように、底版ブロック２１を製造する過程ではプレート２１ｂはアンカー筋２１ｃが下向きになるように内部鉄筋２１ａ上の載せられるので、上側ナット２１ｄがなくともアンカー筋２１ｃとプレート２１ｂの係合関係は維持でき、ナットが１つで済む利点がある。
【００４５】
図１７に示した係合構造が第１実施形態のものと異なるところは、下側雄ネジ部２１ｃ２の直径をアンカー筋２１ｃ’の直径よりも小さくして段差を形成し、この段差をプレート２１ｂに当接させることでプレート２１ｂに対するアンカー筋２１ｃ’の位置決めを行うようにした点にある。この係合構造によれば、ナットが１つで済むと共に、プレート２１ｂに対するアンカー筋２１ｃ’の位置決めを容易に行える利点がある。
【００４６】
図１８〜図２０には、前述の第１実施形態におけるプレート２１ｂと内部鉄筋２１ａとの係合構造の変形例を示す。
【００４７】
図１８〜図２０に示した係合構造が第１実施形態のものと異なるところは、プレートとして図２０に示す平板状のもの（符号２１ｅ）を用い、複数のプレート２１ｅを、各プレート上面が下側の配力筋２１ａ２に接するように配して、内部鉄筋２１ａに係合した状態で底版ブロック２１内に埋設した点にある。各プレート２１ｅには、アンカー筋２１ｃの下側雄ネジ部２１ｃ２が挿通可能な孔２１ｅ１が幅方向両端部に設けられている。各アンカー筋２１ｃは、上側ナット２１ｄが取り付けられた下側雄ネジ部２１ｃ２をプレート２１ｅの孔２１ｅ１に挿通し、下側雄ネジ部２１ｃ２の裏側突出部分に下側ナット２１ｄを取り付け、位置調整後に下側ナット２１ｄを締め付けることによってプレート２１ｅに係合されており、各アンカー筋２１ｅはその下端部を底版ブロック２１内に埋設され、上側雄ネジ部２１ｃ１を含む上端部を底版ブロック２１の上面から上向きに突出している。尚、前記のアンカー筋２１ｃとプレート２１ｅとの係合には、図１６及び図１７のそれぞれに示した係合構造を採用しても構わない。また、プレート２１ｅとして図６や図１２や図１３や図１４に類似の形状のものを用いても構わない。
【００４８】
この係合構造によれば、底版ブロック２１のアンカー筋２１ｃはその下端部がプレート２１ｅに係合し、しかも、このプレート２１ｅは内部鉄筋２１ａの配力筋２１ａ２に係合しているため、連結後の側版ブロック２２に土圧や水圧に相当する外力が加わった場合でもこのときに底版ブロック２１のアンカー筋２１ｃに加わる応力を底版ブロック２１の内部鉄筋２１ａに効率良く分散させることができ、第１実施形態のものと同様に、局部的な応力集中を原因として底版ブロック２１にひび割れ等の破壊を生じることを防止できる。
【００４９】
図２１及び図２２には、前述の第１実施形態における側版ブロック２２側のアンカー筋２２ｂの埋設構造の変形例を示す。
【００５０】
図２１及び図２２に示した埋設構造が第１実施形態のものと異なるところは、平板状の複数のプレート２２ｄを、各プレート下面が配力筋２２ａ２に接するように補助筋２２ａ３と平行に配して、内部鉄筋２２ａに係合した状態で側版ブロック２２内に埋設すると共に、このプレート２２ｄにアンカー筋２２ｂの上端部に係合させた点で異なる。各プレート２２ｄにはアンカー筋２２ｂに対応した孔（図示省略）が設けられ、一方、各アンカー筋２２ｂの上端部には雄ネジ部２２ｂ２が設けられおり、各アンカー筋２２ｂは、下側ナット２２ｅが取り付けられた上側雄ネジ部２２ｂ２をプレート２２ｄの孔に挿通し、上側雄ネジ部２２ｂ２の裏側突出部分に上側ナット２２ｅを取り付け、位置調整後に上側ナット２２ｅを締め付けることによってプレート２２ｄに係合されている。尚、前記のアンカー筋２２ｂとプレート２２ｄとの係合には、図１６及び図１７のそれぞれに示した係合構造を採用しても構わない。
【００５１】
この埋設構造によれば、側版ブロック２２のアンカー筋２２ｂはその上端部がプレート２２ｄに係合し、しかも、このプレート２２ｄは内部鉄筋２２ａの配力筋２２ａ２に係合しているため、連結後の側版ブロック２２に土圧や水圧に相当する外力が加わった場合でもこのときに側版ブロック２２のアンカー筋２２ｂに加わる応力を側版ブロック２２の内部鉄筋２２ａに効率良く分散させることができ、局部的な応力集中を原因として側版ブロック２２にひび割れ等の破壊を生じることを防止できる。
【００５２】
図２３〜図２５には、前述の第１実施形態における底版ブロック２１と側版ブロック２２の連結構造の変形例をそれぞれ示す。
【００５３】
図２３に示した連結構造が第１実施形態のものと異なるところは、底版ブロック２１の上面と側版ブロック２２の内側面との間に１乃至複数の補助プレート２５を止着して連結強度及び剛性の向上を図った点にある。
【００５４】
図２４に示した連結構造が第１実施形態のものと異なるところは、側版ブロック２２の連結位置を底版ブロック２１の両端部よりも僅かに内側に変更し、底版ブロック２１の上面と側版ブロック２２の外側面との間に１乃至複数の補助プレート２５を止着して連結強度及び剛性の向上を図った点にある。
【００５５】
図２５に示した連結構造が第１実施形態のものと異なるところは、側版ブロック２２の連結位置を底版ブロック２１の両端部よりも僅かに内側に変更し、底版ブロック２１の上面と側版ブロック２２の内側面との間に１乃至複数の補助プレート２５を止着し、且つ、底版ブロック２１の上面と側版ブロック２２の外側面との間に１乃至複数の補助プレート２５を止着して連結強度及び剛性の向上を図った点にある。
【００５６】
図２６〜図２８には、本発明を水路用の分割型ブロックに適用した第２実施形態を示す。
【００５７】
この第２実施形態の分割型ブロックは、内部鉄筋３１ａ，プレート３１ｂ及びアンカー筋３１ｃを備えた底版ブロック３１と、内部鉄筋３２ａ及びアンカー筋３２ｂを備えた２つの側版ブロック３２とから構成されており、底版ブロック３１と側版ブロック３２とは連結器３３によって連結されている。
【００５８】
底版ブロック３１は平板形状を成しており、内部鉄筋３１ａと、プレート３１ｂと、アンカー筋３１ｃとを備える。
【００５９】
内部鉄筋３１ａは、図２７に示すように、平行に配された複数の主筋３１ａ１と、主筋３１ａ１と直角向きで平行に配された複数の配力筋３１ａ２と、配力筋３１ａ２と直角向きで平行に配された複数の補助筋３１ａ３とから成り、各々の交差部分を溶接やワイヤー結線等により結合されている。この内部鉄筋３１ａはその全体が底版ブロック３１内に埋設されている。
【００６０】
プレート３１ｂは、図２８に示すように、平板部と台形状屈曲部３１ｂ１とが交互に連続するような屈曲形状を成しており、各屈曲部３１ｂ１の裏側には屈曲部３１ｂの形状に準じた凹部３１ｂ２が現れている。また、各屈曲部３１ｂ１には、アンカー筋３１ｃの下側雄ネジ部３１ｃ２が挿通可能な孔３１ｂ３が設けられている。このプレート３１ｂは、各平板部の上面が内部鉄筋３１ａの下側の主筋３１ａ１に接し、且つ、各屈曲部３１ｂ１が主筋３１ａ１の間に入り込むように配力筋３１ａ２と平行に配され、内部鉄筋３１ａに係合した状態でその全体が底版ブロック３１内に埋設されている。
【００６１】
アンカー筋３１ｃは平坦表面或いは凹凸表面を有する直状のもので、図２８に示すように、上端部に雄ネジ部３１ｃ１を、下端部に雄ネジ部３１ｃ２をそれぞれ有している。各アンカー筋３１ｃは、上側ナット３１ｄが取り付けられた下側雄ネジ部３１ｃ２をプレート３１ｂの孔３１ｂ３に挿通し、下側雄ネジ部３１ｃ２の屈曲部３１ｂ１の裏側に突出した部分に下側ナット３１ｄを取り付け、位置調整後に下側ナット３１ｄを締め付けることによってプレート３１ｂに係合されている。図７に示したものと同様に、下側雄ネジ部３１ｃ２に螺合された下側ナット３１ｄは、下側雄ネジ部３１ｃ２の突出部分と共にプレート３１ｂの凹部３１ｂ２内に位置していて、プレート３１ｂの下面よりも下側には突出していない。各アンカー筋３１ｃはその下端部を底版ブロック３１内に埋設され、上側雄ネジ部３１ｃ１を含む上端部を底版ブロック３１の上面から上向きに突出している。尚、前記のアンカー筋３１ｃとプレート３１ｂとの係合には、図１６及び図１７のそれぞれに示した係合構造を採用しても構わない。
【００６２】
ちなみに、前記の底版ブロック３１は、型枠内に内部鉄筋３１ａを配し、この内部鉄筋３１ａ上の所定位置に、アンカー筋３１ｃが予め設けられたプレート３１ｂをアンカー筋３１ｃが下向きになるように載せた後に、型枠内にコンクリートを打設し養生することにより製造される。
【００６３】
一方、側版ブロック３２は平板形状を成しており、内部鉄筋３２ａと、アンカー筋３２ｂとを備える。また、側版ブロック３２の内側面下端には、アンカー筋３２ｂの配置位置に対応して複数の凹陥部３２ｃが設けられている。尚、側版ブロック３２のアンカー筋３２ｂの数及び位置は、前記底版ブロック３１のアンカー筋３１ｃの数及び位置に対応している。
【００６４】
この側版ブロック３２の内部鉄筋３２ａ及びアンカー筋３２ｂの構成及び配置形態、並びに、連結器３３の構成は第１実施形態で説明したものと同じであるのでここでの説明を省略する。
【００６５】
以下に、前記の底版ブロック３１と側版ブロック３２とを連結器３３を用いて連結する手順について説明する。
【００６６】
まず、手作業によって、底版ブロック３１のアンカー筋３１ｃの上側雄ネジ部３１ｃ１に連結器３３の雄ネジ部材を螺着し、また、側版ブロック３２のアンカー筋３２ｂの雄ネジ部に連結器３３の雌ネジ部材の挿通孔を差し込んで雄ネジ部に係止ナットを螺着する。
【００６７】
次に、底版ブロック３１のアンカー筋３２ｃの突出部分の端面と側版ブロック３２のアンカー筋３２ｂの露出部分の端面とがそれぞれ正対するように位置合わせしてから、エポキシ樹脂等から成る止水パッキン（図示省略）を介して側版ブロック３２を底版ブロック３１の両端部上面に載置する。
【００６８】
次に、手作業によって、連結器３３の雌ネジ部材の雌ネジ部を雄ネジ部材の雄ネジ部に螺入する。
【００６９】
次に、連結器３３の雄ネジ部材の歯輪状凹部に締め付け用工具を嵌め込み、且つ、連結器３３の雌ネジ部材の歯輪状凹部に同様の締め付け用工具を嵌め込み、そして、雄ネジ部材を動かさずに雌ネジ部材のみを回転させて所定トルクに達するまで締め付ける。
【００７０】
アンカー筋全てに対して前記の締め付け作業が完了した状態では、底版ブロック３１のアンカー筋３１ｃと側版ブロック３２のアンカー筋３２ｂが強く引き寄せられた状態で結合し、底版ブロック３１に側版ブロック３２が圧接してブロック相互が直角向きで強固に連結される。
【００７１】
次に、連結後の側版ブロック３２の各凹陥部３２ｃ内にモルタル等の硬化材を充填する。尚、底版ブロック３１と側版ブロック３２との連結には、補助プレートを利用した図２３や図２４や図２５の連結構造を採用しても構わない。
【００７２】
前述の第２実施形態で説明した底版ブロック３１と側版ブロック３２の連結構造によれば、底版ブロック３１のアンカー筋３１ｃはその下端部がプレート３１ｂに係合し、しかも、このプレート３１ｂは内部鉄筋３１ａの主筋３１ａ１に係合しているため、連結後の側版ブロック３２に土圧や水圧に相当する外力が加わった場合でもこのときに底版ブロック３１のアンカー筋３１ｃに加わる応力を底版ブロック３１の内部鉄筋３１ａに効率良く分散させることができ、局部的な応力集中を原因として底版ブロック３１にひび割れ等の破壊を生じることを防止できる。
【００７３】
ちなみに、図２６に示した分割型ブロックに対して発明が解決しようとする課題欄で説明したのと同様の試験を行ったところ、図２６に示した分割型ブロックの降伏点は図１に示した一体型ブロックと同等またはそれ以上で、ひび割れ等の破壊に対して１．０倍〜１．３倍程度の強度があり、分割型であっても一体型ブロックと同等以上の剛性が得られることが確認できた。
【００７４】
図２９〜図３２には、前述の第２実施形態におけるプレート３１ｂの形状の変形例をそれぞれ示す。
【００７５】
図２９に示したプレート３１ｂが第２実施形態のものと異なるところは、プレート３１ｂの両端の平板部を除く平板部に、複数の貫通孔３１ｂ４を設けた点にある。このプレート３１ｂによれば、貫通孔３１ｂ４内にコンクリートを充填させることにより、底版ブロック３１内に埋設されたプレート３１ｂのコンクリートに対する密着力を高めることができる。
【００７６】
図３０に示したプレート３１ｂが第２実施形態のものと異なるところは、プレート３１ｂの両端の平板部の端縁に、内部鉄筋３１ａの主筋３１ａ１に掛合可能な掛合片３１ｂ５を一体に設けた点にある。このプレート３１ｂによれば、底版ブロック３１を製造する過程で内部鉄筋３１ａ上の所定位置にプレート３１ｂを載置した後の位置ずれを、前記掛合部３１ｂ５と主筋３１ａ１との掛合によって防止できる利点がある。
【００７７】
図３１に示したプレート３１ｂが第２実施形態のものと異なるところは、プレート３１ｂの両端の平板部の端縁に、内部鉄筋３１ａの主筋３１ａ１に緩めに嵌合可能な嵌合部３１ｂ６を一体に設けた点にある。このプレート３１ｂによれば、底版ブロック３１を製造する過程で内部鉄筋３１ａ上の所定位置にプレート３１ｂを載置した後の位置ずれ及び抜け落ちを、前記嵌合部３１ｂ６と主筋３１ａ１との嵌合によって防止できる利点がある。
【００７８】
図３２に示したプレート３１ｂが第２実施形態のものと異なるところは、プレート３１ｂ’を平板状に構成した点にある。このプレート３１ｂ’によれば、プレート自体を安価に形成できる利点がある。
【００７９】
図３３及び図３４には、前述の第２実施形態におけるプレート３１ｂと内部鉄筋３１ａとの係合構造の変形例を示す。
【００８０】
図３３及び図３４に示した係合構造が第２実施形態のものと異なるところは、プレートとして図３４に示す平板状のもの（符号３１ｅ）を用い、複数のプレート３１ｅを、各プレート上面が下側の配力筋３１ａ２に接するように配して、内部鉄筋３１ａに係合した状態で底版ブロック３１内に埋設した点にある。各プレート３１ｅには、アンカー筋３１ｃの下側雄ネジ部３１ｃ２が挿通可能な孔３１ｅ１が設けられている。各アンカー筋３１ｃは、上側ナット３１ｄが取り付けられた下側雄ネジ部３１ｃ２をプレート３１ｅの孔３１ｅ１に挿通し、下側雄ネジ部３１ｃ２の裏側突出部分に下側ナット３１ｄを取り付け、位置調整後に下側ナット３１ｄを締め付けることによってプレート３１ｅに係合されており、各アンカー筋３１ｃはその下端部を底版ブロック３１内に埋設され、上側雄ネジ部３１ｃ１を含む上端部を底版ブロック３１の上面から上向きに突出している。尚、前記のアンカー筋３１ｃとプレート３１ｅとの係合には、図１６及び図１７のそれぞれに示した係合構造を採用しても構わない。また、プレート３１ｅとして図６や図１２や図１３や図１４に類似の形状のものを用いても構わない。
【００８１】
この係合構造によれば、底版ブロック３１のアンカー筋３１ｃはその下端部がプレート３１ｅに係合し、しかも、このプレート３１ｅは内部鉄筋３１ａの配力筋３１ａ２に係合しているため、連結後の側版ブロック３２に土圧や水圧に相当する外力が加わった場合でもこのときに底版ブロック３１のアンカー筋３１ｃに加わる応力を底版ブロック３１の内部鉄筋３１ａに効率良く分散させることができ、第２実施形態のものと同様に、局部的な応力集中を原因として底版ブロック３１にひび割れ等の破壊を生じることを防止できる。
【００８２】
図３５には、前述の第２実施形態における側版ブロック３２側のアンカー筋３２ｂの埋設構造の変形例を示す。
【００８３】
図３５に示した埋設構造が第１実施形態のものと異なるところは、平板状の複数のプレート３２ｄを、各プレート下面が配力筋３２ａ２に接するように補助筋３２ａ３と平行に配して、内部鉄筋３２ａに係合した状態で側版ブロック３２内に埋設すると共に、このプレート３２ｄにアンカー筋３２ｂの上端部に係合させた点で異なる。各プレート３２ｄにはアンカー筋３２ｂに対応した孔（図示省略）が設けられ、一方、各アンカー筋３２ｂの上端部には雄ネジ部３２ｂ２が設けられおり、各アンカー筋３２ｂは、下側ナット３２ｅが取り付けられた上側雄ネジ部３２ｂ２をプレート３２ｄの孔に挿通し、上側雄ネジ部３２ｂ２の裏側突出部分に上側ナット３２ｅを取り付け、位置調整後に上側ナット３２ｅを締め付けることによってプレート３２ｄに係合されている。尚、前記のアンカー筋３２ｂとプレート３２ｄとの係合には、図１６及び図１７のそれぞれに示した係合構造を採用しても構わない。
【００８４】
この埋設構造によれば、側版ブロック３２のアンカー筋３２ｂはその上端部がプレート３２ｄに係合し、しかも、このプレート３２ｄは内部鉄筋３２ａの配力筋３２ａ２に係合しているため、連結後の側版ブロック３２に土圧や水圧に相当する外力が加わった場合でもこのときに側版ブロック３２のアンカー筋３２ｂに加わる応力を側版ブロック３２の内部鉄筋３２ａに効率良く分散させることができ、局部的な応力集中を原因として側版ブロック３２にひび割れ等の破壊を生じることを防止できる。
【００８５】
以上、前述の第１実施形態及びその変形例の説明と、第２実施形態及び変形例の説明では、何れも本発明を水路用の分割型ブロックに適用したものを例示したが、本発明は、図３６に示す擁壁用の分割型ブロックや、図３７に示す暗渠用の分割型ブロックや、図示省略の遊水池用の分割型ブロックや、他のコンクリート構造物用の分割型ブロックに幅広く適用でき同様の作用効果を得ることができる。
【００８６】
ちなみに、図３６における符号４１は底版ブロック、４２は側版ブロック、４３は連結器、４４は硬化材であり、底版ブロック４１には内部鉄筋４１ａとプレート４１ｂとアンカー筋４１ｃが設けられ、側版ブロック４２には内部鉄筋４２ａとアンカー筋４２ｂと凹陥部４２ｃが設けられている。
【００８７】
また、図３７における符号５１は底版ブロック、５２は側版ブロック、５３は頂版ブロック、５４は連結器、５５は硬化材であり、底版ブロック５１には内部鉄筋５１ａとプレート５１ｂとアンカー筋５１ｃが設けられ、側版ブロック５２には内部鉄筋５２ａとアンカー筋５２ｂと凹陥部５２ｃが設けられ、頂版ブロック５３には内部鉄筋５３ａとプレート５３ｂとアンカー筋５３ｃが設けられている。
【００８８】
【発明の効果】
以上詳述したように、本発明によれば、ひび割れ等の破壊に対して高い強度が得られ、分割型であっても一体型のものと同等以上の剛性を得ることができる。
【図面の簡単な説明】
【図１】従来例に係る水路用の一体型ブロックの概略断面図
【図２】従来例に係る水路用の分割型ブロックの概略断面図
【図３】本発明の第１実施形態に係る水路用の分割型ブロックの概略断面図
【図４】図３に示した底版ブロックの内部構造図
【図５】図４のＡ−Ａ線断面図
【図６】図３に示したプレートとアンカー筋とナットの斜視図
【図７】図３に示したプレートとアンカー筋との係合構造を示す図
【図８】図３に示した側版ブロックの内部構造図
【図９】図８の左側面図
【図１０】図３に示した連結器部分の縦断面図
【図１１】図１０に示した連結器の雄ネジ部材と雌ネジ部材の側面図とその縦断面図
【図１２】第１実施形態におけるプレートの形状変形例を示す図
【図１３】第１実施形態におけるプレートの形状変形例を示す図
【図１４】第１実施形態におけるプレートの形状変形例を示す図
【図１５】第１実施形態におけるプレートの形状変形例を示す図
【図１６】第１実施形態におけるアンカー筋とプレートとの係合構造の変形例を示す図
【図１７】第１実施形態におけるアンカー筋とプレートとの係合構造の変形例を示す図
【図１８】第１実施形態におけるプレートと内部鉄筋との係合構造の変形例を示す図
【図１９】図１８のＢ−Ｂ線断面図
【図２０】図１８に示したプレートとアンカー筋とナットの斜視図
【図２１】第１実施形態における側版ブロック側のアンカー筋の埋設構造の変形例を示す図
【図２２】図２１の左側面図
【図２３】第１実施形態における底版ブロックと側版ブロックの連結構造の変形例を示す図
【図２４】第１実施形態における底版ブロックと側版ブロックの連結構造の変形例を示す図
【図２５】第１実施形態における底版ブロックと側版ブロックの連結構造の変形例を示す図
【図２６】本発明の第２実施形態に係る水路用の分割型ブロックの概略断面図
【図２７】図２６に示した底版ブロックの内部構造図
【図２８】第２実施形態におけるプレートの形状変形例を示す図
【図２９】第２実施形態におけるプレートの形状変形例を示す図
【図３０】第２実施形態におけるプレートの形状変形例を示す図
【図３１】第２実施形態におけるプレートの形状変形例を示す図
【図３２】第２実施形態におけるプレートの形状変形例を示す図
【図３３】第２実施形態におけるプレートと内部鉄筋との係合構造の変形例を示す図
【図３４】図３３に示したプレートとアンカー筋とナットの斜視図
【図３５】第２実施形態における側版ブロック側のアンカー筋の埋設構造の変形例を示す図
【図３６】本発明を擁壁用の分割型ブロックに適用した例を示す概略断面図
【図３７】本発明を暗渠用の分割型ブロックに適用した例を示す概略断面図
【符号の説明】
２１…底版ブロック、２１ａ…内部鉄筋、２１ａ１…主筋、２１ａ２…配力筋、２１ａ３…補助筋、２１ｂ，２１ｂ’，２１ｅ…プレート、２１ｂ１…屈曲部、２１ｂ２…凹部、２１ｂ３…孔、２１ｃ，２１ｃ’…アンカー筋、２１ｃ１，２１ｃ２…雄ネジ部、２１ｄ…ナット、２２…側版ブロック、２２ａ…内部鉄筋、２２ａ１…主筋、２２ａ２…配力筋、２２ａ３…補助筋、２２ｂ…アンカー筋、２２ｂ１，２２ｂ２…雄ネジ部、２２ｃ…凹陥部、２２ｄ…プレート、２２ｅ…ナット、２３…連結器、２３ａ…雄ネジ部部材、２３ａ１…雄ネジ部、２３ａ２…雌ネジ穴、２３ｂ…雌ネジ部材、２３ｂ２…雌ネジ部、２３ｂ３…挿通孔、３１…底版ブロック、３１ａ…内部鉄筋、３１ａ１…主筋、３１ａ２…配力筋、３１ａ３…補助筋、３１ｂ，３１ｂ’，３１ｅ…プレート、３１ｂ１…屈曲部、３１ｂ２…凹部、３１ｂ３…孔、３１ｃ…アンカー筋、３１ｃ１，３１ｃ２…雄ネジ部、３１ｄ…ナット、３２…側版ブロック、３２ａ…内部鉄筋、３２ａ１…主筋、３２ａ２…配力筋、３２ａ３…補助筋、３２ｂ…アンカー筋、３２ｂ１，３２ｂ２…雄ネジ部、３２ｃ…凹陥部、３２ｄ…プレート、３２ｅ…ナット、２３…連結器、４１…底版ブロック、４１ａ…内部鉄筋、４１ｂ…プレート、４１ｃ…アンカー筋、４２…側版ブロック、４２ａ…内部鉄筋、４２ｂ…アンカー筋、４２ｃ…凹陥部、５１…底版ブロック、５１ａ…内部鉄筋、５１ｂ…プレート、５１ｃ…アンカー筋、５２…側版ブロック、５２ａ…内部鉄筋、５２ｂ…アンカー筋、５２ｃ…凹陥部、５３…頂版ブロック、５３ａ…内部鉄筋、５３ｂ…プレート、５３ｃ…アンカー筋。
【図１】
0004415163.tif 000002
【図２】
0004415163.tif 000003
【図３】
0004415163.tif 000004
【図４】
0004415163.tif 000005
【図５】
0004415163.tif 000006
【図６】
0004415163.tif 000007
【図７】
0004415163.tif 000008
【図８】
0004415163.tif 000009
【図９】
0004415163.tif 000010
【図１０】
0004415163.tif 000011
【図１１】
0004415163.tif 000012
【図１２】
0004415163.tif 000013
【図１３】
0004415163.tif 000014
【図１４】
0004415163.tif 000015
【図１５】
0004415163.tif 000016
【図１６】
0004415163.tif 000017
【図１７】
0004415163.tif 000018
【図１８】
0004415163.tif 000019
【図１９】
0004415163.tif 000020
【図２０】
0004415163.tif 000021
【図２１】
0004415163.tif 000022
【図２２】
0004415163.tif 000023
【図２３】
0004415163.tif 000024
【図２４】
0004415163.tif 000025
【図２５】
0004415163.tif 000026
【図２６】
0004415163.tif 000027
【図２７】
0004415163.tif 000028
【図２８】
0004415163.tif 000029
【図２９】
0004415163.tif 000030
【図３０】
0004415163.tif 000031
【図３１】
0004415163.tif 000032
【図３２】
0004415163.tif 000033
【図３３】
0004415163.tif 000034
【図３４】
0004415163.tif 000035
【図３５】
0004415163.tif 000036
【図３６】
0004415163.tif 000037
【図３７】
0004415163.tif 000038